(57)【要約】【課題】パーティションの設置や移動を極力簡単に行うことができるパーティションを提供する。【解決手段】パーティションは、メインパネルに対して、その収納空間への収納が可能に配置されるサイドパネルと、メインパネルの下部及びサイドパネルの下部に夫々配設されたキャスタと、引出位置におけるサイドパネルのキャスタを接地させ、収納位置におけるサイドパネルのキャスタを接地しないように浮かせる浮上手段と、を備える。パーティションは、サイドパネルの収容位置において、浮上手段により当該サイドパネルのキャスタを浮かせた状態で、メインパネルのキャスタにより移動可能に自立するように構成されている。【選択図】図８
2015086614.tif 000002
【特許請求の範囲】
【請求項１】
室内スペースを区画する平板状のパネルを備えたパーティションであって、
前面板及び後面板を備え、それら前面板と後面板との間に、側縁部が開放された収納空間を有するメインパネルと、
前記メインパネルに対して、前記収納空間への収納が可能に配置されるサイドパネルと、
前記サイドパネルを、前記収納空間に収納した収納位置と前記側縁部から側方へ引き出した引出位置との間で、前記前面板あるいは前記後面板に沿って引き出し可能にガイドするガイド手段と、
前記メインパネルの下部及び前記サイドパネルの下部に夫々配設されたキャスタと、
前記引出位置における前記サイドパネルのキャスタを接地させ、前記収納位置における前記サイドパネルのキャスタを接地しないように浮かせる浮上手段と、
を具備し、前記パーティションは、前記サイドパネルの前記収容位置において、前記浮上手段により当該サイドパネルのキャスタを浮かせた状態で、前記メインパネルのキャスタにより移動可能に自立するように構成したことを特徴とするパーティション。
【請求項２】
前記浮上手段は、前記メインパネルに対し前記収納位置における前記サイドパネルをキャスタごと浮上させるように構成したことを特徴とする請求項１記載のパーティション。
【請求項３】
前記メインパネルは、その一方の側縁部に形成されたサイドパネル用の開口部を備え、
前記収容空間において、前記サイドパネルを上下方向の遊びを持たせて収容すると共に、前記開口部において、前記サイドパネルとの上下方向の隙間を塞ぎ且つ前記サイドパネルの上下動に伴う移動が可能な閉塞部材を設けたことを特徴とする請求項２記載のパーティション。
【請求項４】
前記収納位置における前記サイドパネルのキャスタを浮かせた状態を保持する保持手段を備えることを特徴とする請求項１から３の何れか１項記載のパーティション。
【請求項５】
前記メインパネルにおける下部の側縁部に、前記サイドパネルの前記収納位置への移動を許容するキャスタ用の切欠部を形成し、
前記サイドパネルは、前記収納位置で当該サイドパネルの側縁部が前記メインパネルの側縁部と面一になるように収納され、
前記メインパネルの前記切欠部側に位置させて、前記収納位置における前記サイドパネルのキャスタと他の部材とが接触しないように保護する保護部材を前記メインパネルに設けたことを特徴とする請求項１から４の何れか１項記載のパーティション。
【請求項６】
前記浮上手段は、前記メインパネルの前記収納空間の底壁部と、前記サイドパネルの下縁部とのうち一方又は双方に設けられた、傾斜部を有する当接部材であって、前記サイドパネルの前記収納位置への移動の際、前記一方又は双方と前記傾斜部とが当接することに伴い前記サイドパネルをキャスタごと浮上させるように構成したことを特徴とする請求項１から５の何れか１項記載のパーティション。
【発明の詳細な説明】
【技術分野】
【０００１】
本実施形態は、室内スペースを区画する平板状のパネルを備えたパーティションに関する。
【背景技術】
【０００２】
従来より、上記パーティションのパネルは、例えば床面上に自立させた状態で用いられ、オフィス等の室内の間仕切りとして広く使用されている。この種のパーティションにあっては、パネル同士を直線状に連結する等して所望のレイアウトで設置することができる。例えば、パーティションのパネル同士を連結固定する場合、その連結部として専用の金具が用いられ、その金具を一方のパネルと他方のパネルとに掛け渡した状態でボルトにより固定するようになっている。
このように、パネル同士を連結固定する場合、専用の金具が不可欠となり、当該パネルの連結作業も面倒なものとなっていた。そこで、一方のパネルを他方のパネルに収容することが考えられる。
【先行技術文献】
【特許文献】
【０００３】
【特許文献１】特開２０００−１１６４８３号公報
【発明の概要】
【発明が解決しようとする課題】
【０００４】
しかしながら、上記構成のパーティションは、その設置に際して両パネルを移動させるため、移動作業が困難となる。即ち、この種のパーティションにあっては、一方のパネルを他方のパネルに収容した状態で移動させるとしても、両パネルを移動させることに変わりなく、その移動中に、何らかのはずみで一方のパネルが引出し方向に引出されることも想定され、思いのほか面倒なものとなる。
【０００５】
本発明は上記事情に鑑みてなされたものであり、その目的は、パーティションの設置や移動を極力簡単に行うことができるパーティションを提供することである。
【課題を解決するための手段】
【０００６】
上記した目的を達成するために、本発明のパーティションは、室内スペースを区画する平板状のパネルを備えたものであり、前面板及び後面板を備え、それら前面板と後面板との間に、側縁部が開放された収納空間を有するメインパネルと、前記メインパネルに対して、前記収納空間への収納が可能に配置されるサイドパネルと、前記サイドパネルを、前記収納空間に収納した収納位置と前記側縁部から側方へ引き出した引出位置との間で、前記前面板あるいは前記後面板に沿って引き出し可能にガイドするガイド手段と、前記メインパネルの下部及び前記サイドパネルの下部に夫々配設されたキャスタと、前記引出位置における前記サイドパネルのキャスタを接地させ、前記収納位置における前記サイドパネルのキャスタを接地しないように浮かせる浮上手段と、を具備し、前記パーティションは、前記サイドパネルの前記収容位置において、前記浮上手段により当該サイドパネルのキャスタを浮かせた状態で、前記メインパネルのキャスタにより移動可能に自立するように構成したことを特徴とする。
【発明の効果】
【０００７】
請求項１のパーティションは、メインパネルとサイドパネルは、何れもキャスタを備えており、サイドパネルのキャスタは、収容位置において浮上手段により接地しないように浮いた状態となる。このため、パーティションの設置時や移動時において、メインパネルにサイドパネルを収容した状態で、メインパネルのキャスタにより移動させることができる。また、これにより、パーティションの移動中に、サイドパネルがメインパネルから引き出されることを確実に防止することができ、総じてパーティションの設置作業や移動作業を極力簡単に行うことができる。更に、パーティションの移動中における、サイドパネルのキャスタと床面との接触による、キャスタ部分（或いはキャスタの支持部分）の破損や変形を防止することができる。
【図面の簡単な説明】
【０００８】
【図１】本発明の一実施形態を示すものであり、サイドパネルを収納した状態で示すパーティション全体の正面図
【図２】（ａ）及び（ｂ）は、サイドパネルをメインパネルから引き出した状態及び回動させた状態で示す外観斜視図
【図３】メインパネルにおけるガイド構造を含む構成の説明図であって、当該パネルを一部破断して示す拡大斜視図
【図４】サイドパネルのコーナ部を拡大して示す分解斜視図
【図５】パーティションの分解斜視図
【図６】左側のサイドパネルを例にインナーパネルの支持構成を説明するため分解図であって、（ａ）及び（ｂ）は、パーティション上部及び下部における斜視図
【図７】サイドパネルを収納した状態で示すパーティション右側下部の拡大斜視図
【図８】サイドパネルにおけるキャスタの接地時の様子を、メインパネルの前面板を外した状態で示すもので、（ａ）及び（ｂ）は、パーティション上部及び下部における正面図
【図９】サイドパネルにおけるキャスタの浮上時の様子を示す図８相当図
【図１０】当接部材の拡大斜視図
【図１１】（ａ）〜（ｃ）は、パーティションの各種態様を説明するための図
【図１２】閉塞部材の変更形態を示す図
【発明を実施するための形態】
【０００９】
以下、本実施形態について図１から図１１を参照して説明する。なお、本実施形態では、パーティション１の正面図を示す図１において、同図の紙面に対する垂直方向を前後方向とする。また、パーティション１は、比較的背丈の低い所謂ローパーティションであって、オフィス等の室内スペースの間仕切りとして適用されるものを例とする。
【００１０】
パーティション１は、図１に示すメインパネル２と、当該パネル２内部の収納空間への収納が可能に配置される第１サイドパネル３及び第２サイドパネル４（図２参照）とを備える。第１、第２サイドパネル３，４は、前記収納空間に収納した収納位置と、左右両側方へ引き出した引出位置との間での引き出しが可能に構成されると共に、前記引出位置に引き出された状態で、基端側を回動中心として鉛直軸の周りに回動するように構成されている。
前記メインパネル２は、矩形状をなす前面板５ａ及び後面板５ｂと、それらの板５ａ，５ｂの外周縁部を囲う枠部６とを有し、全体として矩形平板状をなしている。尚、図８では、メインパネル２の前面板５ａを外し、後面板５ｂの内壁側が露出した状態を示している。
【００１１】
メインパネル２の前面板５ａ及び後面板５ｂには、例えば布状表面材（クロス）としての外被部材７が夫々貼設されている。枠部６は、図１に示すように、その左辺部及び右辺部を構成する一対の縦フレーム１０，１１と、上辺部及び下辺部を構成する横フレーム１２とからなる。
【００１２】
図３に示すように、メインパネル２の上部において、横フレーム１２は、上壁部１２ａと前壁部１２ｂと後壁部（図示略）とで、下側が開放された断面「コ」字状をなして左右方向に延びている。横フレーム１２には、その内側に沿ってガイドレール１３が収容配置されている。ガイドレール１３は、上側が開放された断面「山」字状をなし、その前半部に第１サイドパネル３用のレール部１３ａ、後半部に第２サイドパネル４用のレール部１３ｂ（破線参照）を有する。また、詳しい図示は省略するが、メインパネル２下部では（図８（ｂ）参照）、横フレーム１２及びガイドレール１３が上部とは対称的に配置される。これにより、後述する第１サイドパネル３用のローラ部材は、上方のレール部１３ａと下方のレール部１３ａによりガイドされ、第２サイドパネル４用のローラ部材は、上方のレール部１３ｂと下方のレール部１３ｂによりガイドされるようになっている（図３参照）。
【００１３】
また、図３に示すように、上記の横フレーム１２には、前後一対の差込み部（前壁部１２ｂの差込み部１２ｃのみ図示）が形成される。この枠部６における上辺部と下辺部の各差込み部１２ｃに対して、前面板５ａ及び後面板５ｂが差し込まれると共に、横フレーム１２と縦フレーム１０，１１の上端部及び下端部とが夫々組み付けられて固定される。これにより、前面板５ａと後面板５ｂとの間には、前後に重ねた二枚のサイドパネル３，４が収まる収納空間Ｓが形成される（図３、図１１（ａ）参照）。尚、レール部１３ａ，１３ｂは、ローラ部材の片側（図３では下側）をガイドする構成に限らず、ローラ部材の上下両側をガイドする形状にしてもよい。
【００１４】
図３に示すように、前記縦フレーム１０，１１は何れも上下方向へ延びており、一方の縦フレーム１０は、他方の縦フレーム１１に比し幅狭に形成されている。詳しい図示は省略するが、各縦フレーム１０，１１は、前面板５ａ或は後面板５ｂの側縁部（左右の端部）が嵌合する嵌合溝を有している。また、図３に示すように、メインパネル２の左部では、縦フレーム１０は前側に、縦フレーム１１は後側に配置された状態で組み付けられる。これにより、メインパネル２左部の縦フレーム１０，１１間には、第１サイドパネル３を出し入れするための前側開口部１７ａが形成される。一方、メインパネル２の右部では、縦フレーム１０は後側に、縦フレーム１１は前側に配置される（図７参照）。このため、メインパネル２右部の縦フレーム１０，１１間には、第２サイドパネル４を出し入れするための後側開口部１７ｂが形成される。
【００１５】
図７に示すように、メインパネル２下部には、横フレーム１２とガイドレール１３の右端部を、後側開口部１７ｂに対応させて切り欠いた切欠部１８ｂが設けられている。この切欠部１８ｂによって、第２サイドパネル４のキャスタ１９Ｂ上部（キャスタ支持部２０Ｂ）が収納空間Ｓに納まるようになっている。これにより、第２サイドパネル４の右縁部が、メインパネル２右部の縦フレーム１０，１１と面一になるように収納される（図１、図７参照）。同様に、メインパネル２下部には、前側開口部１７ａに対応させて切り欠いた切欠部１８ａ（図６参照）が設けられている。この切欠部１８ａによって、第１サイドパネル３のキャスタ１９Ａ上部が収納空間Ｓに納まり、第１サイドパネル３の左縁部が、メインパネル２左部の縦フレーム１０，１１と面一になるように収納される（図１参照）。
【００１６】
メインパネル２下部の横フレーム１２には、左右一対のキャスタ基台２１が設けられている。図２に示すように、キャスタ基台２１は、メインパネル２の板厚方向に延びる長尺な板状をなしており、その前後両端部にキャスタ２２が夫々設けられている。これらキャスタ基台２１及び各キャスタ２２は脚部として、パーティション１の全体を安定して床面Ｆ上に自立させることができる。各キャスタ１９Ａ，１９Ｂ，２２は、パーティション１を移動させる向きによって自在に方向が変わる。また、詳しくは後述するように、各サイドパネル３，４のキャスタ１９Ａ，１９Ｂは、引出位置で接地し、収納位置で接地しないように浮く構成とされている。
【００１７】
図７に示すように、メインパネル２下部には、前述した切欠部１８ａ，１８ｂ側に位置させて、各サイドパネル３，４のキャスタ１９Ａ，１９Ｂ（支持部２０Ａ，２０Ｂ）と他の部材とが接触しないように保護する保護部材９ａ，９ｂが設けられている。保護部材９ａ，９ｂは、下方の横フレーム１２よりも下側に張出し、且つキャスタ基台２１上端面よりも下側に張出す（図７の符号ｄ参照）。保護部材９ａ，９ｂは、厚みを持たせて比較的剛性が高くなるように形成されており、比較的幅狭なキャスタ支持部２０Ａ，２０Ｂに、他のパーティションの脚部等が当らないように保護する機能を有する。
【００１８】
第１、第２サイドパネル３，４は、前記収納空間Ｓに収納される第１、第２インナーパネル２３，２４（図５参照）に連結される。これら第１サイドパネル３及び第１インナーパネル２３と、第２サイドパネル４及び第２インナーパネル２４は、基本的に同様に構成されているので、第１サイドパネル３側の構成要素の符号に「Ａ」を、第２サイドパネル４側の構成要素の符号に「Ｂ」を夫々付して一括して説明する。
【００１９】
図５に示すように、第１、第２サイドパネル３，４は、矩形状の板材２５Ａ，２５Ｂと、当該板材２５Ａ，２５Ｂの外周縁部を囲う枠部２６Ａ，２６Ｂとを有する。板材２５Ａ，２５Ｂは、例えば透明な樹脂材料からなり、前記開口部１７ａ，１７ｂの幅寸法より若干小さい厚み寸法に設定されている。尚、板材２５Ａ，２５Ｂはガラスにより構成してもよいし、メインパネル２と同様に外被部材７を前後両面に貼設してもよい。
【００２０】
枠部２６Ａ，２６Ｂは、その左辺部及び右辺部を構成する縦フレーム２７Ａ，２７Ｂと、上辺部及び下辺部を構成する横フレーム２８Ａ，２８Ｂと、四隅に配設されるコーナジョイント２９Ａ，２９Ｂとからなる。図４に示すように、コーナジョイント２９Ａ，２９Ｂのジョイント本体部３０Ａ，３０Ｂはブロック状をなし、横方向に突出する嵌合突部３１Ａ，３１Ｂと、縦方向に突出する嵌合突部３２Ａ，３２Ｂとを一体に有する。また、ジョイント本体部３０Ａ，３０Ｂには、板材２５Ａ，２５Ｂの隅部が嵌合する嵌合溝３３Ａ，３３Ｂが設けられている。更に、第１、第２サイドパネル３，４の縦フレーム２７Ａ，２７Ｂは、嵌合突部３２Ａ，３２Ｂが嵌合する嵌合孔３４Ａ，３４Ｂと、板材２５Ａ，２５Ｂの左右の縁部が嵌合する嵌合溝３５Ａ，３５Ｂとを有し、中空状をなしている。詳しい図示は省略するが、横フレーム２８Ａ，２８Ｂも同様に、嵌合突部３１Ａ，３１Ｂが嵌合する嵌合孔と、板材２５Ａ，２５Ｂの上下の縁部が嵌合する嵌合溝とを有し、中空状をなす。こうして、板材２５Ａ，２５Ｂの周縁部には、外側から各フレーム２７Ａ，２７Ｂ，２８Ａ，２８Ｂ及びコーナジョイント２９Ａ，２９Ｂの嵌合溝に差し込まれるようにして枠部２６Ａ，２６Ｂが組み付けられる。
【００２１】
図５に示すように、枠部２６Ａ，２６Ｂのコーナジョイント２９Ａ，２９Ｂのうち、第１、第２インナーパネル２３，２４への連結側（収納側）のジョイント２９Ａ，２９Ｂは、被支持部とされている。具体的には、図６（ａ）に示すように、第１サイドパネル３の右上隅において、コーナジョイント２９Ａ上端には、第１インナーパネル２３の支持部４０Ａに支持される張出部３７Ａｕが設けられている。張出部３７Ａｕには、軸部材３６が挿通される挿通孔３８Ａｕが上下に貫通するように設けられている。図６（ｂ）に示すように、第１サイドパネル３右下隅におけるコーナジョイント２９Ａ下端にも、上部と同様の張出部３７Ａｄと挿通孔３８Ａｄが設けられている。これらコーナジョイント２９Ａ，２９Ａにおける各挿通孔３８Ａｕ，３８Ａｄと、これに対応する支持部４０Ａの挿通孔４１Ａｕ，４１Ａｄとに軸部材３６が夫々挿通されることにより、第１サイドパネル３は軸部材３６の周りに回動する。
【００２２】
また、図６に示すように、上部の軸部材３６は、例えば、挿通孔３８Ａｕ，４１Ａｕへ挿通されると共に、その上端に配された固定板３６ｕに溶接で固定される。当該固定板３６ｕは、図示しないビスでコーナジョイント２９Ａ上面に固定される。同様に、下部の軸部材３６は、例えば挿通孔３８Ａｄ，４１Ａｄへ挿通されると共に、その下端の固定板３６ｄに固定され、当該固定板３６ｄはビスでコーナジョイント２９Ａに固定される。
【００２３】
上記した第１サイドパネル３の上下の張出部３７Ａｕ，３７Ａｄは、支持部４０Ａに対し上下方向の遊びＧ（図８（ｂ）及び図９（ａ）参照）を有して支持される。つまり、第１サイドパネル３は、張出部３７Ａｕ，３７Ａｄにおいて、軸部材３６を介して、支持部４０Ａに対し上下方向への移動が可能に支持されている。
【００２４】
詳しい図示は省略するが、第２サイドパネル４も同様に、左側のコーナジョイント２９Ｂにおける各挿通孔３８Ｂｕ，３８Ｂｄと（図５参照）、これに対応する支持部４０Ｂの挿通孔４１Ｂｕ，４１Ｂｄとに軸部材３６が夫々挿通されることで、軸部材３６の周りに回動する。また、第２サイドパネル４は、張出部３７Ｂｕ，３７Ｂｄにおいて、軸部材３６を介して、支持部４０Ｂに対し上下方向への移動が可能に支持されている。尚、図５、図６（ａ）（ｂ）に示すように、第１、第２サイドパネル３，４における連結側のコーナジョイント２９Ａ，２９Ｂには、Ｒ状の面取り部４２Ａ，４２Ｂが形成されている。
【００２５】
第１、第２サイドパネル３，４の下部には、引出側つまり連結側とは反対側に位置させて、下端にキャスタ１９Ａ，１９Ｂを有するキャスタ支持部２０Ａ，２０Ｂが設けられている。キャスタ支持部２０Ａ，２０Ｂは、コーナジョイント２９Ａ，２９Ｂの下部に一体的に形成されている（図８（ｂ）参照）。
【００２６】
一方、前記第１、第２インナーパネル２３，２４は、全体として矩形枠状をなす（矩形平板状でもよい）。第１、第２インナーパネル２３，２４は、第１、第２サイドパネル３，４への連結側の縁部に、前記支持部４０Ａ，４０Ｂが設けられている。具体的には、図６（ａ）（ｂ）に示すように、第１インナーパネル２３の左縁部には、支持部４０Ａが左方へ突出するように形成されている。支持部４０Ａの先端側には、Ｒ状の面取り部４３Ａが形成されている。従って、図３に示すように、支持部４０Ａのみをメインパネル２の前側開口部１７ａから露出させた状態で、その面取り部４３Ａと、第１サイドパネル３の面取り部４２Ａとにより、パネル２，３，２３同士が干渉することなく、第１サイドパネル３を回動させることができる。
【００２７】
詳しい図示は省略するが、第２インナーパネル２４も同様に、支持部４０Ｂが（図５参照）、左方へ突出するように設けられている。そして、支持部４０Ｂのみをメインパネル２の後側開口部１７ｂから露出させた状態で、その面取り部４３Ｂと、第２サイドパネル４の面取り部４２Ｂとにより、パネル２，４，２４同士が干渉することなく、第２サイドパネル４を回動させることができる。上記した支持部４０Ａ，４０Ｂ及び軸部材３６を備える第１、第２インナーパネル２３，２４は支持手段に相当する。
【００２８】
図５に示すように、第１サイドパネル３と第１インナーパネル２３の幅寸法Ｗ１，Ｗ１´は、それらの合計値がメインパネル２の幅寸法Ｗ０以下となるように設定されている（Ｗ１＋Ｗ１´≦Ｗ０）。また、第１サイドパネル３の高さ寸法Ｈ１は、第１インナーパネル２３の高さ寸法Ｈ１´よりも若干大きく、且つメインパネル２の高さ寸法Ｈ０より小さく設定されている（Ｈ１≒Ｈ１´＜Ｈ０）。尚、第１サイドパネル３の高さ寸法Ｈ１を、第１インナーパネル２３の高さ寸法Ｈ１´よりも小さく設定する（追加Ｈ１＜Ｈ１´）等、各寸法形状は適宜変更してもよい。
【００２９】
他方、第１サイドパネル３と第２サイドパネル４、並びに第１インナーパネル２３と第２インナーパネル２４は、夫々相互に同じ寸法形状をなす（Ｗ１＝Ｗ２、Ｈ１＝Ｈ２、並びにＷ１´＝Ｗ２´、Ｈ１´＝Ｈ２´）。こうして、メインパネル２は、その収納空間Ｓにおいて第１、第２サイドパネル３，４を上下方向の遊びを持たせて収容している。
【００３０】
そして、第１、第２インナーパネル２３，２４の上縁部及び下縁部には、ローラ部材４５Ａ〜４８Ａ，４５Ｂ〜４８Ｂが設けられている。詳細には、図６（ａ）に示すように、第１インナーパネル２３の上面側には、左右両側に位置させて一対のローラ部材４５Ａ，４６Ａが設けられている。各ローラ部材４５Ａ，４６Ａは、ガイドレール１３のレール部１３ａを走行するローラ５０と、そのローラ５０を第１インナーパネル２３上面に取り付けるための取付部５１とで構成される。図６（ｂ）に示すように、第１インナーパネル２３の下面側にも、ローラ部材４７Ａ、４８Ａが設けられており、このローラ部材４７Ａ、４８Ａは、下側のガイドレール１３のレール部１３ａを走行するようになっている（図８（ｂ）参照）。尚、図６（ｂ）中、左側のローラ部材４８Ａは、メインパネル２下部の切欠部１８ａに対応させて、やや右寄りの位置に設けられている。このため、第１サイドパネル３の引出位置で、ローラ部材４８Ａが切欠部１８ａまで左側に引き出されることがない。
【００３１】
第２インナーパネル２４には、上面側のローラ部材４５Ｂ、４６Ｂと下面側のローラ部材４７Ｂ、４８Ｂとが、第１インナーパネル２３のローラ部材４５Ａ〜４８Ａと対称的に配置されている（図５参照）。ローラ部材４５Ｂ，４６Ｂは、上側のガイドレール１３のレール部１３ｂを走行し、ローラ部材４７Ｂ，４８Ｂは、下側のガイドレール１３のレール部１３ｂを走行する。これらローラ部材４５Ａ〜４８Ａ，４５Ｂ〜４８Ｂ、並びにガイドレール１３は、第１、第２インナーパネル２３，２４を介して、第１、第２サイドパネル３，４を引き出し可能にガイドするガイド手段に相当する。
【００３２】
さて、本実施形態のパーティション１は、収納位置における第１、第２サイドパネル３，４のキャスタ１９Ａ，１９Ｂを接地しないように浮かせる浮上手段を備える。この浮上手段の構成について、図８、図９も参照しながら詳述する。尚、図８、図９では、説明の便宜上、第２サイドパネル４とインナーパネル２４の図示を省略している。
【００３３】
メインパネル２には、収納空間Ｓの底壁部６０上に、第１当接部材６１Ａが固着されている。第１当接部材６１Ａは、図９（ｂ）に示すように、例えば収納位置における第１サイドパネル３の収納側（右端部）に対して下側から当接するよう、底壁部６０の前側且つ右寄りの位置に配置されている。第１当接部材６１Ａは、例えば全体として横長な板状をなし、比較的摩擦係数の小さい材料を用いて構成されている。また、図１０の拡大図で示すように、第１当接部材６１Ａには、傾斜部７０と平坦部７１とが形成されている。平坦部７１は、収納位置の第１サイドパネル３に対して下側から当接する部位で、底壁部６０からの高さ寸法Ｌ１が例えば１０ｍｍに設定されている。傾斜部７０は底壁部６０に連なり、第１サイドパネル３の右下隅と当接する部位である。傾斜部７０の長さ寸法Ｌ２は、第１サイドパネル３の収納位置への移動と上方への移動をスムーズに行うべく、比較的緩やかな角度θとなるよう、例えば３５ｍｍに設定されている。
【００３４】
図８（ｂ）に示すように、第１サイドパネル３左端部の下面には、第２当接部材６２Ａが固着されている。第２当接部材６２Ａには、傾斜部７０と平坦部７１とが形成された第１当接部材６１Ａと同じ部材で構成されている。また、図８（ｂ）に示すように、第２当接部材６２Ａは、第１当接部材６１Ａと左右対称で且つ上下対称となるように配置されている。従って、第２当接部材６２Ａは、その傾斜部７０がメインパネル２の底壁部６０の左端と当接し、平坦部７１は第１サイドパネル３の収納位置で底壁部６０に上側から当接する。
【００３５】
第２サイドパネル４側についても、当接部材６１Ｂ，６２Ｂが第１サイドパネル３側と同様、左右対称且つ上下対称となるように配置されている（図５、図８（ｂ）参照）。即ち、第１当接部材６１Ｂは、図８（ｂ）に２点鎖線で示すように、底壁部６０の後側且つ左寄りの位置に配置されている。第１当接部材６１Ｂは、その傾斜部７０が第２サイドパネル４の左下隅に当接し、平坦部７１は収納位置の第２サイドパネル４に対して下側から当接する。
【００３６】
また、図２（ａ）等にも示すように、第２サイドパネル４右端部の下面には、第２当接部材６２Ｂが固着されている。第２当接部材６２Ｂは、その傾斜部７０がメインパネル２の底壁部６０の右端と当接し、平坦部７１は第２サイドパネル４の収納位置で底壁部６０に上側から当接する。上記した当接部材６１Ａ，６２Ａ，６１Ｂ，６２Ｂは、図１０に示す寸法Ｌ１、Ｌ２や角度θを適宜変更する等、その寸法形状を適宜変更してもよい。
【００３７】
詳しくは以下の作用説明で述べるように、各サイドパネル３，４の収納位置への移動の際、当接部材６１Ａ〜６２Ｂは浮上手段として、夫々の傾斜部７０とサイドパネル３，４下端または底壁部６０とが当接することに伴い、当該サイドパネル３，４をキャスタ１９Ａ，１９Ｂごと浮上させるようになっている。
【００３８】
そして、浮上したサイドパネル３，４は、当接部材６１Ａ〜６２Ｂの平坦部７１と当該パネル３，４下端または底壁部６０とが当接し、且つマグネット７２（図５にのみ図示）の吸着作用により収納位置で保持される。即ち、各インナーパネル２３，２４には、夫々の収納側の縁部にマグネット７２のブロックが取付け固定されている。一方、図示は省略するが、メインパネル２には、収納空間Ｓにおける収納位置のマグネット７２に吸着される磁性の金属材が配設されている。この場合、マグネット７２は、前記金属材に対しサイドパネル３，４の収納位置で吸着することで、当該パネル３，４を移動しないように保持する保持手段として構成されている。
【００３９】
更に、図３、図８（ａ）に示すように、メインパネル２には、左部の前側開口部１７ａと右部の後側開口部１７ｂとに閉塞部材７３Ａ，７３Ｂが設けられている。閉塞部材７３Ａ，７３Ｂは、各開口部１７ａ，１７ｂの上端に取付け固定されている。閉塞部材７３Ａ，７３Ｂは、図３に示すように下方が開放された収容部を有する収容体７４と、収容体７４に対して収容部への収容が可能に取付けられた移動体７５とを有する。移動体７５は、自重により下方へ移動して、サイドパネル３，４上端と当接することで、開口部１７ａ，１７ｂ上部の隙間を塞ぐ。この場合、移動体７５は、サイドパネル３，４が傾斜部７０で上下動することに伴い収容体７４に収容され、或いは図３や図８（ａ）に示す下限位置まで突出する。
【００４０】
次に、上記パーティション１の作用について説明する。
先ず、図１、図１１（ａ）に示すように、パーティション１は、第１、第２サイドパネル３，４を収納位置に移動させた状態では、外観上、一枚のパネル２となる。この状態では、第１、第２サイドパネル３，４は相互に重なり、且つメインパネル２における前後の板５ａ，５ｂ間に挟まれるようにして収納されている。
【００４１】
この場合、図１に示すように、キャスタ１９Ａ，１９Ｂは例えば床面Ｆから１０ｍｍ浮いた状態にある。また、各サイドパネル３，４は、収納空間Ｓにおいて当接部材６１Ａ〜６２Ｂの平坦部７１と当該パネル３，４下端または底壁部６０とが当接した、言わば浮上位置にあり（図９（ｂ）参照）、且つマグネット７２が前記金属材に吸着することで、収納位置（浮上位置）に保持された状態にある。このため、パーティション１を移動させる際、各パネル２，３，４がバラけたり、イナーシャによりパネル３，４が飛び出したりすることを確実に防止することができ、メインパネル２のキャスタ２２によりスムーズに移動させることができる。
【００４２】
本発明と異なり、各サイドパネルをメインパネルに収納できないパーティションでは、各パネルを相互に折り重ねるようにして収納するため、各パネルが板厚方向に嵩張るだけでなく、各パネルのキャスタが相互に干渉する。このため、従来では、複数のパーティションを１箇所にすっきりとまとめることができないこととなる。
【００４３】
この点、本発明では、図１１（ｂ）に示すように複数のパーティション１を並べて１箇所にまとめておく場合でも、各パーティション１を相互に板厚方向に隣り合わせるようにして、極力コンパクトにすっきりとまとめることができる。この場合、キャスタ支持部２０Ａ，２０Ｂは比較的強度が低いが、保護部材９ａ，９ｂで囲われているため、他のパーティション１のキャスタ基台２１等との衝突を気にすることなく、簡単にパーティション１を片付けることができる。
【００４４】
パーティション１の使用に際して、メインパネル２からサイドパネル３，４の何れか一方を引き出すことにより、所謂二連パネルとなる。例えば、メインパネル２内から第１サイドパネル３を左方へ引き出す。このとき、第１サイドパネル３と一体的に移動する第１インナーパネル２３は、上下両側のローラ部材４５Ａ〜４８Ａがレール部１３ａ，１３ａにガイドされながら、メインパネル２の内壁に沿ってスライド移動する。これにより、第１サイドパネル３全体を、メインパネル２から引き出した引出位置まで直線状にスライドさせ、二連パネルとして拡げることができる。
【００４５】
また、この場合、収納位置で浮上位置にあった第１サイドパネル３は、当接部材６１Ａ，６２Ａの傾斜部７０を、当該パネル３下端または底壁部６０左端が伝うようにして、キャスタ１９Ａが接地する接地位置まで下降する（図８（ｂ）参照）。これにより、第１サイドパネル３は、キャスタ１９Ａによりスムーズに移動させることができる。
【００４６】
そして、パーティション１は、メインパネル２から両サイドパネル３，４を引き出すことにより、図２（ａ）、図１１（ｃ）に示すような三連パネルとなる。即ち、上記のように第１サイドパネル３を、メインパネル２内から左方へ引き出すと共に、第２サイドパネル４をメインパネル２内から右方へ引き出す。第２サイドパネル４も、第１サイドパネル３と同様に、第２インナーパネル２４のローラ部材４５Ｂ〜４８Ｂを介してレール部１３ｂ，１３ｂにガイドされる。これにより、両サイドパネル３，４を、左右両側へ直線状にスライドさせ、三連パネルとして拡げることができる。
【００４７】
更には、引出位置まで引き出された各サイドパネル３，４は、図２（ｂ）、図１１（ｃ）の二点鎖線で示すように前方側と後方側へ回動させることができる。この場合、各サイドパネル３，４は、メインパネル２に対して例えば９０度をなす位置まで前後方向へ回動する。このため、パーティション１の各パネル２，３，４を上記した形態とし、あるいは複数のパーティション１を用いて、室内スペースに応じた所望のレイアウトに設置することができる。
【００４８】
例えば、パーティション１をオフィス等の室内で用いるものとする。当該室内の間仕切りとして、メインパネル２のみの幅寸法Ｗ０では足りず、三連パネルとしたときの幅寸法（Ｗ０＋Ｗ１＋Ｗ２）では収まらない場合、両サイドパネル３，４の何れか一方または双方の引き出し量を前記室内スペースに合わせて調整する。換言すれば、パーティション１全体の幅寸法を、両サイドパネル３，４のスライド量の調整により、所望の大きさに設定することができる。この他、図示は省略するが、複数のパーティション１で四方を囲むブース（目隠し）を設定したり、複数のパーティション１を平面視にて略円環状をなすように配置することが可能となる等、種々のレイアウトをとることができる。
【００４９】
上記したパーティション１におけるサイドパネル３，４の収納について、第１サイドパネル３を例に説明する。図３に示すように、第１サイドパネル３が引き出されていると、メインパネル２左部の前側開口部１７ａは、その上部の閉塞部材７３Ａにより閉塞される。このため、第１サイドパネル３を収納する際、ユーザの手指が開口部１７ａに挟み込まれることがなく、パネル２，３間の上下方向の遊びで見映えを損なうこともない。
【００５０】
ここで、第１サイドパネル３を、右方へのスライド移動により収納する。このスライド移動の途中の浮上開始点Ｐ（図１０参照）は、第１当接部材６１Ａの傾斜部７０と当該パネル３の右下隅とが当接し、第２当接部材６２Ａの傾斜部７０と底壁部６０の左端とが当接した時点となる。このとき、図８（ａ）に符号Ｌ３で示す、第１サイドパネル３の収納されていない左縁部分は、ユーザの掴みしろ（把持する部分）を考慮して、余裕を持たせた寸法Ｌ３となっている。従って、この時点でユーザが手を離しても、第１サイドパネル３は、惰力により右方へスライド移動しながら、傾斜部７０に沿って前記浮上位置へ移動し、収納位置でマグネット７２の吸着作用により保持される。これにより、第１サイドパネル３はキャスタ１９Ａごと浮上し、当該キャスタ１９Ａは前述のように床面Ｆから１０ｍｍ浮いた状態となる。
【００５１】
以上説明したように、本実施形態のパーティション１は、引出位置におけるサイドパネル３，４のキャスタ１９Ａ，１９Ｂを接地させ、収納位置におけるサイドパネル３，４のキャスタ１９Ａ，１９Ｂを接地しないように浮かせる浮上手段を具備し、パーティション１は、サイドパネル３，４の収容位置において、浮上手段により当該サイドパネル３，４のキャスタ１９Ａ，１９Ｂを浮かせた状態で、メインパネル２のキャスタ２２により移動可能に自立するように構成した。
【００５２】
これによれば、メインパネル２及びサイドパネル３，４は、何れもキャスタ２２及びキャスタ１９Ａ，１９Ｂを備えており、サイドパネル３，４のキャスタ１９Ａ，１９Ｂは、収容位置において浮上手段により接地しないように浮いた状態となる。このため、パーティション１の設置時や移動時において、メインパネル２にサイドパネル３，４を収容した状態で、メインパネル２のキャスタ２２により移動させることができる。また、これにより、パーティション１の移動中に、サイドパネル３，４がメインパネル２から引き出されることを確実に防止することができる。更に、パーティション１の移動中における、サイドパネル３，４のキャスタと床面Ｆとの接触による、キャスタ１９Ａ，１９Ｂ部分（或いは支持部分２０Ａ，２０Ｂ）の破損や変形を防止することができる。
【００５３】
前記浮上手段は、メインパネル２に対し収納位置におけるサイドパネル３，４をキャスタ１９Ａ，１９Ｂごと浮上させるように構成した。これによれば、浮上手段について、サイドパネル３，４を浮上させる簡単で安価な構成とすることができる。
【００５４】
前記メインパネル２は、その一方の側縁部に形成されたサイドパネル３，４用の開口部１７ａ，１７ｂを備え、収容空間Ｓにおいて、サイドパネル３，４を上下方向の遊びを持たせて収容すると共に、開口部１７ａ，１７ｂにおいて、サイドパネル３，４との上下方向の隙間を塞ぎ且つサイドパネル３，４の上下動に伴う移動が可能な閉塞部材７３Ａ，７３Ｂを設けた。これによれば、ユーザの手指が開口部１７ａ，１７ｂに挟み込まれることがなく、安全にパーティション１を扱うことができる。また、パネル２，３，４間の遊びで見映えを損なうこともなく、パーティション１としての外観意匠性を高めることができる。
【００５５】
前記収納位置におけるサイドパネル３，４のキャスタ１９Ａ，１９Ｂを浮かせた状態を保持する保持手段（例えばマグネット７２）を備える。この保持手段によって、メインパネル２にサイドパネル３，４を収容した状態で、パーティション１を移動させても、サイドパネル３，４がメインパネル２から引き出されることを、より確実に防止することができる。
【００５６】
メインパネル２における下部の側縁部に、サイドパネル３，４の収納位置への移動を許容するキャスタ１９Ａ，１９Ｂ用の切欠部１８ａ，１８ｂを形成し、サイドパネル３，４は、収納位置で当該サイドパネル３，４の側縁部がメインパネル２の側縁部と面一になるように収納され、メインパネル２の切欠部１８ａ，１８ｂ側に位置させて、収納位置におけるサイドパネル３，４のキャスタ１９Ａ，１９Ｂと他の部材とが接触しないように保護する保護部材９ａ，９ｂをメインパネル２に設けた。
【００５７】
これによれば、サイドパネル３，４の側縁部がメインパネル２の側縁部と面一となるように収納されるため、外観意匠性を高めることができる。また、保護部材９ａ，９ｂにより、サイドパネル３，４のキャスタ１９Ａ，１９Ｂと他の部材とが接触しないように保護することができる。
【００５８】
前記浮上手段は、メインパネル２の収納空間Ｓの底壁部６０と、サイドパネル３，４の下縁部とのうち一方又は双方に設けられた、傾斜部７０を有する当接部材６１Ａ〜６２Ｂであって、サイドパネル３，４の収納位置への移動の際、前記一方又は双方と傾斜部７０とが当接することに伴いサイドパネル３，４をキャスタ１９Ａ，１９Ｂごと浮上させるように構成した。これによれば、当接部材６１Ａ〜６２Ｂの傾斜部７０を利用して、サイドパネル３，４を浮上させるため、キャスタ１９Ａ，１９Ｂを浮かせる構成を極力簡単なものとすることができる。
【００５９】
第１サイドパネル３及び第２サイドパネル４は、相互に同じ寸法形状をなし、収納位置に収納された状態で、前面板５ａあるいは後面板５ｂの板厚方向に相互重なるように配置される。これによれば、第１、第２サイドパネル３，４をメインパネル２の収納空間Ｓにコンパクトに収納することができると共に、第１、第２サイドパネル３，４の幅寸法を極力大きく設定することができる。
【００６０】
第１サイドパネル３及び第２サイドパネル４は、メインパネル２における夫々の開口部１７ａ，１７ｂから相互に離間する方向へ各別に引き出すように構成されている。これによれば、両サイドパネル３，４をメインパネル２の両側方へ各別に拡げることができ、使い勝手のよいものとすることができる。
【００６１】
尚、本発明は上記した実施形態にのみ限定されるものではなく、次のように変形または拡張することができる。
本発明のパーティション１はオフィスの間仕切りに限られず、展示場等の間仕切りとして使用される等、床面Ｆ上に自立させた状態で用いられるローパーティション全般に適用できるものである。第１サイドパネル３及び第２サイドパネル４は、相互に略同じ寸法形状をなすように構成してもよく、この場合でも、上記実施形態と同様の効果を奏する。また、インナーパネル２３，２４は、メインパネル２の収納空間Ｓに収納される矩形平板状に形成してもよい。
【００６２】
上記の閉塞部材７３Ａ，７３Ｂに代えて、図１２に示す閉塞部材８０Ａ，８０Ｂ、８５Ａ，８５ｂを用いるようにしてもよい。即ち、図１２（ａ）に示す閉塞部材８０Ａ，８０Ｂは、下方が開放された収容部を有する収容体８１と、収容体８２に対して揺動可能に取付けられた揺動体８２とを有する。揺動体８２は、その基端側の軸部８２ａが収容体８１の丸穴８１ａに軸支され、その長さ方向の途中部の係合部８２ｂが収容体８１の長孔８１ｂに挿通されている。これにより、揺動体８２は、軸部８２ａを揺動中心として、サイドパネル３，４の上下動に伴い収容体７４への収容が可能に揺動する。こうして、閉塞部材８０Ａ，８０Ｂは、揺動体８２が自重により下方へ移動してサイドパネル３，４上端と当接することで、開口部１７ａ，１７ｂの隙間を塞ぐようになっている。
【００６３】
一方、図１２（ｂ）は、閉塞部材８５Ａ，８５ｂを模式的に示している。閉塞部材８５Ａ，８５ｂは例えば２色成形により、硬質樹脂製の本体部８６ａと、軟質樹脂製の当接部８６ｂとを一体的に有する。当接部８６ｂは自身の弾性力により、下方へ付勢されている。これにより、閉塞部材８５Ａ，８５Ｂは、常には当接部８６ｂがサイドパネル３，４上端と当接することで、開口部１７ａ，１７ｂの隙間を塞ぐ。このように、他の閉塞部材８０Ａ，８０Ｂ、８５Ａ，８５ｂを用いて構成した場合でも、安全にパーティション１を扱うことができる等、上記した実施形態と同様の効果を奏する。
【符号の説明】
【００６４】
図面中、１はパーティション、２はメインパネル、３は第１サイドパネル，４は第２サイドパネル、５ａは前面板、５ｂは後面板、９ａ，９ｂは保護部材、１３はガイドレール（ガイド手段）、１７ａ，１７ｂは開口部、１８ａ，１８ｂは切欠部、１９Ａ，１９Ｂ，２２はキャスタ、６１Ａ，６１Ｂ，６２Ａ，６２Ｂは当接部材（浮上手段）、７０は傾斜部、７２は保持手段、７３Ａ，７３Ｂ，８０Ａ，８０Ｂ，８５Ａ，８５ｂは閉塞部材、Ｓは収納空間を示す。
【図１】
2015086614.tif 000003
【図２】
2015086614.tif 000004
【図３】
2015086614.tif 000005
【図４】
2015086614.tif 000006
【図５】
2015086614.tif 000007
【図６】
2015086614.tif 000008
【図７】
2015086614.tif 000009
【図８】
2015086614.tif 000010
【図９】
2015086614.tif 000011
【図１０】
2015086614.tif 000012
【図１１】
2015086614.tif 000013
【図１２】
2015086614.tif 000014